(57)【特許請求の範囲】
【請求項１】
線光源と、該線光源から発光される光を導く導光板と、を備え、
前記線光源の周囲に配置される反射材は、非導電性の反射材と導電性の反射材とからなり、
前記非導電性の反射材が、前記線光源のうち、電極が設けられた端部に重なるように設けられ、
前記導電性の反射材の端部は、前記線光源のうち、前記電極が設けられた端部には重ならないように設けられていることを特徴とする照明装置。
【請求項２】
請求項１において、前記電極は前記導電性の反射材の端部よりも外側に位置することを特徴とする照明装置。
【請求項３】
請求項１または２において、前記非導電性の反射材は、白色の樹脂であり、
前記導電性の反射材は、金属の反射面であることを特徴とする照明装置。
【請求項４】
請求項３において、前記白色の樹脂は、白色顔料を混入したＰＥＴ（ポリエチレンテレフタレート）であり、
前記金属の反射面は、ＰＥＴ（ポリエチレンテレフタレート）に銀を蒸着して形成したことを特徴とする照明装置。
【請求項５】
請求項１乃至４のいずれかに記載の照明装置と、該照明装置から照射される光が入射される液晶パネルとを含んで構成される液晶表示装置。
【発明の詳細な説明】
【０００１】
【発明の属する技術分野】
本発明は、液晶表示面へ光を照射する照明装置およびこの照明装置を含んで構成される液晶表示装置に関する。
【０００２】
【従来の技術】
照明装置は、液晶パネルに均一な光を照射する光学システムであり、エッジライト型照明装置や直下型照明装置等が提案されてきた。
【０００３】
図３は、この内、エッジライト型照明装置の構造を示す説明的断面図である。この照明装置は、線光源としての冷陰極管１と、これから発光される光を導く導光板７と、導光板７の裏面に装着され、導光板７を介して伝搬してきた光を反射するための反射板８と、導光板７の表面に装着され、導光板７を介して伝搬してきた光を上方に拡散させる図示しない拡散パターンと、液晶パネルを照射するための光を拡散する拡散板３とを有していて、さらに、冷陰極管１の外表面にはその長手方向の全長に渡って、発光された光を反射して導光板７へ入射させるための反射率の高いＡｇ（銀）リフレクタ１０が装着されている。
【０００４】
また、この照明装置は、筐体２０内の所定の位置に固定されて図示しない液晶パネル等と組み合わされて液晶表示装置が構成される。
【０００５】
そして、例えば、５０（ｍｍ）の長さの冷陰極管１の場合、照明装置を駆動するには、通常、電圧値２５０（Ｖ）程度、周波数３０〜１００（ｋＨｚ）程度の電圧を、冷陰極管１に接続された図示しない電線に印加する。さらに、電線を介して電圧印加が行われた冷陰極管１は発光動作を行い、発光された光は、直接光、あるいは、Ａｇリフレクタ１０で反射されて間接光となって導光板７を伝搬し、反射板８の反射作用と拡散板３の拡散作用によって、光を液晶パネルに照射するように動作していた。
【０００６】
【発明が解決しようとする課題】
しかしながら、高周波の高電圧を冷陰極管１に印加する場合、従来の照明装置では電圧低下等の問題があった。これは、Ａｇが導電性の材料であるため、冷陰極管１とＡｇリフレクタ１０との間、および、Ａｇリフレクタ１０と筐体２０との間で容量結合が発生し、印加された高周波の高電圧がこの容量を介してリークするためである。
【０００７】
したがって、２５０（Ｖ）の電圧を印加しても実際には、例えば１０（％）低下して２２５（Ｖ）程度の電圧しか印加されなくなるため、照明装置の輝度が低下してしまう事態を招いていた。これを解決するために、冷陰極管１の長手方向の全長に渡ってＡｇリフレクタ１０を装着するのではなく、冷陰極管１の高電圧の電極端部を除いて中央部のみにＡｇリフレクタ１０を装着することが提案されているが、これによれば、リークの少ない十分な距離をとることができず端部から光もれが発生して液晶パネルに照射される光量が少なくなって液晶表示装置の輝度低下を招いてしまう。
【０００８】
一方、白色顔料を混入したＰＥＴ（ポリエチレンテレフタレート）である白ＰＥＴ等の非導電性の材料を冷陰極管１の長手方向の全長に渡って装着すると、容量結合の発生は抑制されるものの、Ａｇリフレクタ１０に比べると光利用効率が約１５（％）程度低下するので、これによっても、液晶パネルに照射される光量が少なくなって液晶表示装置の輝度低下を招いてしまう。
【０００９】
本発明は、このような従来の課題を解決するためになされたもので、その目的は、容量結合を発生しにくく光もれもない照明装置を提供する点にある。
【００１０】
【課題を解決するための手段】
上記目的を達成するために、請求項１に係る発明によれば、
線光源と、該線光源から発光される光を導く導光板と、を備え、前記線光源の周囲に配置される反射材は、非導電性の反射材と導電性の反射材とからなり、前記非導電性の反射材が、前記線光源のうち、電極が設けられた端部に重なるように設けられ、前記導電性の反射材の端部は、前記線光源のうち、前記電極が設けられた端部には重ならないように設けられていることを特徴とする照明装置が提供される。
【００１１】
例えば、線光源の中央部のみに導電性の材料を、また、端部に非導電性の材料が配置されるように、非導電性の材料と導電性の材料とを組み合わせれば、容量結合の発生が抑制可能になるとともに、端部での光もれも防止可能になる。
【００１４】
また、請求項２に係る発明は、請求項１において、前記電極は前記導電性の反射材の端部よりも外側に位置することを特徴とする。
【００１５】
これによれば、線光源の長手方向において、線光源の電極と導電性の反射材の端部とが重ならず、導電性の反射材が最も高電圧となる電極を覆うようには装着されないので、容量結合の発生が一層抑制される。
【００１６】
また、請求項３に係る発明は、請求項１または２において、前記非導電性の反射材は、白色の樹脂であり、前記導電性の反射材は、金属の反射面であることを特徴とする。
【００１７】
これによれば、白色の樹脂や金属の反射面で反射材を製造できるため、安価に反射材を製造できる。
【００１８】
さらに、請求項４に係る発明によれば、請求項３において、前記白色の樹脂は、白色顔料を混入したＰＥＴ（ポリエチレンテレフタレート）であり、前記金属の反射面は、ＰＥＴ（ポリエチレンテレフタレート）に銀を蒸着して形成したことを特徴とする。
【００１９】
これによれば、ＰＥＴへの白色顔料の混入やＰＥＴへの銀の蒸着により反射材を製造できるため、一層安価で装着作業性の良い照明装置が実現可能となる。
【００２０】
さらに、請求項５に係る発明によれば、請求項１乃至４のいずれかに記載の照明装置と、該照明装置から照射される光が入射される液晶パネルとを含んで構成される液晶表示装置が提供される。
【００２１】
これによれば、線光源の中央部のみに導電性の反射材を装着しているため容量結合の発生が抑制可能になるとともに、端部に非導電性の反射材を装着して、光もれも防止できる液晶表示装置を実現でき、ひいては、液晶表示装置の輝度特性が向上する。
【００２２】
しかも、ＰＥＴへの白色顔料の混入やＰＥＴへの銀蒸着により反射材を製造すれば安価で装着作業性の良い照明装置を提供することができる。
【００２３】
【発明の実施の形態】
以下、本発明の実施形態を図面を参照しつつ説明する。
【００２４】
図１は、本発明の実施の形態にかかる照明装置の平面図であり、図２は、本発明の実施の形態にかかる照明装置の外観図である。
【００２５】
この照明装置は、電線６が接続された電極２を両端に備える冷陰極管１と、これから発光される光を導く導光板７と、導光板７の裏面に装着され、導光板７を介して伝搬してきた光を反射するための反射板８と、導光板７の表面に装着され、導光板７を介して伝搬してきた光を上方に拡散させる図示しない拡散パターンと、液晶パネルを照射するための光を拡散する拡散板３とを有していて、さらに、冷陰極管１の両端部には、非導電性の反射材である白ＰＥＴ５（白色顔料を混入したＰＥＴ（ポリエチレンテレフタレート））が装着されるとともに、冷陰極管１の中央部には、導電性の反射材であるＡｇＰＥＴ４（銀を蒸着したＰＥＴ（ポリエチレンテレフタレート））が装着されている。なお、ＡｇＰＥＴ４と白ＰＥＴ５との境界部が連続するように、両反射材を冷陰極管１に装着している。
【００２６】
この照明装置の駆動は、電圧値２５０（Ｖ）程度、周波数３０〜１００（ｋＨｚ）程度の電圧を電線６に印加することによって行われる。電線６を介して電圧印加が行われた冷陰極管１は発光動作を行い、発光された光は、直接光、あるいは、ＡｇＰＥＴ４および白ＰＥＴ５で反射されて間接光となって導光板７を伝搬し、反射板８の反射作用と拡散板３の拡散作用によって、光を液晶パネルに照射するように動作する。
【００２７】
そして、照明装置を駆動するために電線６に高周波の高電圧を印加しても、冷陰極管１の中央部のみに導電性の反射材であるＡｇＰＥＴ４が装着されているため、従来のような容量結合が発生しにくくなって電気的リークが防止されて、電圧低下が発生せず所望の電圧を印加することが可能になる。
【００２８】
さらに、冷陰極管１の中央部のみに反射材を装着した場合には、従来、光もれが生じていたが、この実施の形態によれば、従来光もれとなっていた光を白ＰＥＴ５で反射可能になるので、照明装置光量が低下することが防止される。
【００２９】
このように、冷陰極管１の中央部のみに導電性の反射材であるＡｇＰＥＴ４を装着しているため容量結合の発生が抑制でき、さらに、冷陰極管１の端部に非導電性の反射材である白ＰＥＴ５を装着して光もれも防止可能となる。
【００３０】
なお、この実施の形態では、冷陰極管１の両端部に白ＰＥＴ５を装着した構成としたが、これは両電極に高電圧を印加し冷陰極管１の駆動を行うものに対応させたものであり、一方の電極のみに高電圧を印加し冷陰極管１の駆動を行うものであれば、高電圧側の電極が存在する方の端部のみに白ＰＥＴ５を装着した構成としても良い。
【００３１】
また、冷陰極管１の長手方向において、電極２の端部とＡｇＰＥＴ４の端部との距離を設けるようにすれば、電極２とＡｇＰＥＴ４とが冷陰極管１の長手方向で重なることがなくなるため、容量結合の発生を一層抑制することが可能となり好ましい。
【００３２】
次に、本発明の実施の形態にかかる照明装置を含んで構成される液晶表示装置について説明する。
【００３３】
図４は、液晶表示装置の断面図である。この液晶表示装置は、照明装置と照明装置に照射されて液晶表示を行う液晶パネル２５とを有し、照明装置と液晶パネル２５とは筐体２０に装着されている。なお、液晶パネル２５や冷陰極管１を駆動する回路系については図示省略している。
【００３４】
また、照明装置は、図１、図２を参照して説明したように、図示しない電線を接続した電極（図示せず）を端部に備える冷陰極管１と、これから発光される光を導く導光板７と、導光板７を介して伝搬してきた光を反射するための反射板８と、導光板７を介して伝搬してきた光を上方に拡散し、液晶パネル２５に照射するための拡散板３とを有していて、さらに、冷陰極管１の両端部には白ＰＥＴ５が装着されるとともに、冷陰極管１の中央部にはＡｇＰＥＴ４（図示せず）が装着されている。
【００３５】
上述したように、照明装置の駆動を行うために、電圧値２５０（Ｖ）程度、周波数３０〜１００（ｋＨｚ）程度の電圧を電線に印加すると、電圧印加が行われた冷陰極管１は発光動作を行い、発光された光は、直接光、あるいは、ＡｇＰＥＴ４および白ＰＥＴ５で反射されて間接光となって導光板７を伝搬し、反射板８の反射作用と拡散板３の拡散作用によって、光を上方の液晶パネル２５を照射する。さらに、図示しない駆動部で液晶パネル２５が駆動されて表示が行われる。
【００３６】
したがって、冷陰極管１の中央部のみにＡｇＰＥＴ４が装着されているため、容量結合が発生しにくくなって電気的リークが防止されて、電圧低下が発生せず所望の電圧を印加することが可能になるとともに、従来光もれとなっていた光を白ＰＥＴ５で反射可能になるので、液晶の表示輝度が低下することが防止される。
【００３７】
なお、以上述べてきた実施の形態によれば、非導電性および導電性の反射材の夫々として、白ＰＥＴとＡｇＰＥＴを例にとり説明したのはこれらが安価で装着作業性が良いものだからであり、もちろん、非導電性および導電性の反射材はこれらに限られない。
【００３８】
以上説明した実施の形態によれば、線光源としての冷陰極管の中央部のみに導電性の反射材であるＡｇＰＥＴを装着しているため容量結合の発生が抑制可能になるとともに、冷陰極管の端部には非導電性の反射材である白ＰＥＴを装着して光もれも防止可能としている。
【００３９】
【発明の効果】
以上説明したように、本発明によれば、例えば、線光源の中央部のみに導電性の材料を、また、端部に非導電性の材料が配置されるように、非導電性の材料と導電性の材料とを組み合わせれば、容量結合の発生が抑制可能になるとともに、光もれも防止可能になる。
【図面の簡単な説明】
【図１】本発明の実施の形態にかかる照明装置の平面図である。
【図２】本発明の実施の形態にかかる照明装置の外観図である。
【図３】従来の技術の説明図である。
【図４】本発明の実施の形態にかかる照明装置を含んで構成される液晶表示装置の断面図である。
【符号の説明】
１  冷陰極管
２  電極
３  拡散板
４  ＡｇＰＥＴ
５  白ＰＥＴ
６  電線
７  導光板
８  反射板
２０  筐体
２５  液晶パネル
【図１】
0003959824.tif 000002
【図２】
0003959824.tif 000003
【図３】
0003959824.tif 000004
【図４】
0003959824.tif 000005